(57)【特許請求の範囲】
【請求項１】
一方の軸が符号パワーで、他方の軸が符号インデックスである２次元グラフにて符号領域パワーを表示する形式で、複数の拡散率を有する符号領域多元接続信号に対して符号領域パワーを表示する方法であって、
各符号インデックスの拡散率を表す第３軸を追加して、符号領域パワーの３次元グラフを与えるステップと、
高いデータ柱状の後に隠れたデータ柱状を表示できるように上記３次元グラフを回転させるステップと
を具えたことを特徴とする符号領域多元接続信号の符号領域パワーの表示方法。
【請求項２】
一方の軸が符号パワーで、他方の軸が符号インデックスである２次元グラフにて符号領域パワーを表示する形式で、複数の拡散率を有する符号領域多元接続信号に対して符号領域パワーを表示する装置であって、
各符号インデックス用の拡散率を表す第３軸を追加して、符号領域パワーの３次元グラフを与える手段と、
高いデータ柱状の後に隠れたデータ柱状を表示できるように上記３次元グラフを回転させる手段と
を具えたことを特徴とする符号領域多元接続信号用符号領域パワーの表示装置。
【発明の詳細な説明】
【０００１】
【発明の属する技術分野】
本発明は、一般に、符号分割多元接続（ＣＤＭＡ：code division multiple access）信号の分析に関し、特に、符号領域パワー表示にて、アクティブ・コード、これらの拡散率及びパワー・レベルを視覚化する符号領域多元接続信号の符号領域パワーの表示方法及び装置に関する。
【０００２】
【従来の技術】
直交符号を用い、総ての符号が同じ長さである（長さは「拡散率（spreading factor）」として知られている）ＣＤＭＡ信号において、各符号に存在するパワー量、即ち、符号領域パワー（ＣＤＰ：code domain power）は、２次元柱状（コラム）グラフで、符号番号インデックスに対する各符号のパワーの関係を描画することにより表示される。これは、ＣＤＰ情報を表示するために線形インデックス符号順序を用いる従来の周知の方法である。ｃｄｍａ２０００の如き新たなＣＤＭＡシステムは、可変拡散率、即ち、異なる長さの符号を用いることを規定しており、このことが、ＣＤＰの表示を面倒にする。大きな拡散率の符号に適するＣＤＰグラフにて、小さな拡散率の符号を表示した際、この小さな拡散率の符号は、大きな拡散率の符号システムとの関係により決まる固定間隔で、複数のサブ符号に散乱するようになる。これは、例えば、拡散率が１６のｃｄｍａ２０００を拡散率１２８用の符号グラフで表示した際、このｃｄｍａ２０００は、８つのサブ符号が８インデックス分だけ間隔があく。このように、拡散率の大きい符号系の信号を分析する際に、拡散率の小さい符号（ベース符号と呼ぶ）を用いると、このとき拡散されて発生した複数の符号をサブ符号と呼ぶ。任意の符号に対しては、拡散率が視覚的に明らかにならない。
【０００３】
例えば、特許文献１は、異なる拡散率又は符号層（code layer）の直交符号を有するＣＤＭＡ信号のパワー・レベルを表示する１つの方法を記載している。この表示においては、垂直バーを用いて、各アクティブ符号チャネルのパワー・レベルを表示する。この垂直バーの幅は、アクティブ符号チャネル毎の符号層がアクティブであることを示している。各コードが色で解釈され、拡散率を表すが、色が、大きさ又は順序の意味を直接的に伝えないため、この方法は、情報の直感的な間隔を与えない。
【０００４】
【特許文献１】
米国特許第６２１９３４０号明細書
【０００５】
２００１年７月３１日に出願された米国特許出願第０９／９１９６９０号（特願平２００２−２０３０６７号に対応）は、ＣＤＰ用の他の表示を提供する。この表示では、ビット反転インデックスにより符号順序によってサブ符号をプロットして、これらサブ符号を互いにグループ化する。これは、ウォルシュ符号インデックス機構（indexing scheme）を直交可変拡散率インデックス機構に変換することと等価である。この機構は、大きさ又は順序の意味を伴わない。
【０００６】
【発明が解決しようとする課題】
複数の拡散率を有する符号領域多元接続システムの符号領域パワーのグラフにおいて、各符号又はサブ符号に対して、パワー及び拡散率の両方を視覚的に指示する手段が望まれている。
【０００７】
したがって、本発明は、ＣＤＭＡシステムの符号領域のパワーを表すグラフにおいて、符号又はサブ符号の各々のパワー及び拡散率の両方を視覚的に示すＣＤＭＡ信号の符号領域パワーの表示方法、装置及び表示の提供にある。
【０００８】
【課題を解決するための手段】
本発明は、一方の軸が符号パワーで、他方の軸が符号インデックスである２次元グラフにて符号領域パワーを表示する形式で、複数の拡散率を有する符号領域多元接続信号に対して符号領域パワーを表示する方法であって；各符号インデックスの拡散率を表す第３軸を追加して、符号領域パワーの３次元グラフを与えるステップと、高いデータ柱状の後に隠れたデータ柱状を表示できるように３次元グラフを回転させるステップとを具えたことを特徴とする。
また、本発明は、一方の軸が符号パワーで、他方の軸が符号インデックスである２次元グラフにて符号領域パワーを表示する形式で、複数の拡散率を有する符号領域多元接続信号に対して符号領域パワーを表示する装置であって；各符号インデックス用の拡散率を表す第３軸を追加して、符号領域パワーの３次元グラフを与える手段と、高いデータ柱状の後に隠れたデータ柱状を表示できるように３次元グラフを回転させる手段とを具えたことを特徴とする。
【０００９】
よって、本発明は、複数の拡散率を有する符号領域多元接続（ＣＤＭＡ）信号に対する符号領域パワー（ＣＤＰ）表示において、符号インデックスに対する符号パワーの従来のＣＤＰ柱状グラフに第３次元を追加して、アクティブ符号と、これらの拡散率と、パワー・レベルとの視覚を与える。この第３次元は、奥行きであり、最大の拡散率を用いて、奥行き軸をスケーリング（拡大／縮小）する。各符号インデックスの柱状の高さは、その符号の測定したパワーに比例し、その奥行き、即ち、厚さは、その符号が属するベース符号（base code）の拡散率に基づく。サブ符号は、強調などの適切な手段でベース符号から微分してもよいし、抑圧してもよい。サブ符号が抑圧されると、ベース符号のパワー・レベルは、そのアクティブ符号のパワー・レベルを表すように調整される。
【００１０】
本発明の目的、利点及び新規な特徴は、添付図を参照した以下の詳細説明から更に理解できよう。
【００１１】
【発明の実施の形態】
図１は、本発明による３次元ＣＤＰグラフを示す図である。Ｘ軸に沿ったチャネル符号インデックスと、Ｙ軸に沿った符号パワーとから構成された従来の符号領域パワー（ＣＤＰ）表示に、Ｚ軸、即ち、奥行き軸に沿った３次元を追加している。この第３軸は、拡散率を表している。符号領域多元接続（ＣＤＭＡ）信号は、多数の拡散率を有している。３次元バーが各符号インデックスを表しており、この３次元バーの高さがその符号インデックスのパワーを表し、奥行きがその符号インデックスの拡散率を表す。図２は、本発明により強調したサブ符号を有する３次元ＣＤＰグラフを示す図である。かかる図２に示す如く、サブ符号は、適切な手段によりベース符号から微分してもよい。かかる適切な手段とは、これら符号の対応表示を曖昧にしたり、そのパターンを変化させたり、色を除いたりするなどして、強調することである。
【００１２】
図３は、本発明により抑圧したサブ符号を有する３次元ＣＤＰグラフを示す図である。かかる図３に示す如く、サブ符号は、抑圧されており、即ち、グラフから完全に除去されており、ベース符号のみが表示に残り、空になった欠落部分では、サブ符号が見えない。各ベース符号でのパワーを示すために、そのデータ柱状は、高くなっており、しばしば、そのサブ符号の和として計算された実際のパワーに対応する。サブ符号を巧みに除去することにより、グラフが簡単になり、多くの符号のどれがどのようにアクティブで、そのパワーがどうかを迅速に観察できる。
【００１３】
観察者が右上からグラフ空間の観察するという伝統的な透視画法から３次元グラフを表示することにより、短い柱状の奥行き、即ち、より少ないパワーが、右側の高いデータ柱状の後に隠れる。この問題を解決するには、グラフを回転させて、種々の図で示すように、観察者が右下からグラフを見るような表示にする。
【００１４】
【発明の効果】
よって、本発明は、第３次元である奥行きを標準２次元ＣＤＰグラフに追加して、この奥行きが種々のアクティブ符号の拡散率を表すようにして、符号領域多元接続信号が多数の拡散率を有する符号領域のパワー表示において、アクティブ符号、それらの拡散率及びパワー・レベルを視覚化できる。
【図面の簡単な説明】
【図１】本発明による３次元ＣＤＰグラフを示す図である。
【図２】本発明により強調したサブ符号を有する３次元ＣＤＰグラフを示す図である。
【図３】本発明により抑圧したサブ符号を有する３次元ＣＤＰグラフを示す図である。
【図１】
0003950395.tif 000002
【図２】
0003950395.tif 000003
【図３】
0003950395.tif 000004